(57)【要約】【課題】ナット、ワッシャとともにナット用の緩止具を一括して保持できるソケット型工具を提供することを課題とする。【解決手段】ナットＮ、及び雄ねじＳに螺合させたナットＮの緩み止めをするための筒状の緩止具Ｔを同心又は略同心で収容可能な凹部が形成されたソケット本体２と、前記ソケット本体２における前記凹部の開口周りの開口端面２００に当接させたワッシャＷを前記凹部に収容した前記ナットＮ及び前記緩止具Ｔに対して同心又は略同心で保持する保持構造３と、を備え、前記ソケット本体２は、開口端面側から挿入された緩止具Ｔを内部で受ける受部２１と、該受部２１よりも前記開口端面側に形成され、且つ前記開口端面側から挿入された前記ナットＮの外周面に嵌合する外嵌部２２と、を有する、ソケット型工具１。【選択図】図３
2019150928.tif 000002
【特許請求の範囲】
【請求項１】
ナット、及び雄ねじに螺合させたナットの緩み止めをするための筒状の緩止具のそれぞれを同心又は略同心で収容可能な凹部が形成されたソケット本体と、前記ソケット本体における前記凹部の開口周りの開口端面に当接させたワッシャを前記凹部に収容した前記ナット及び前記緩止具に対して同心又は略同心で保持する保持構造と、を備え、前記ソケット本体は、前記開口端面側から挿入された前記緩止具を受ける受部と、該受部よりも前記開口端面側に形成され、且つ前記開口端面側から前記凹部内に挿入された前記ナットの外周面に嵌合する外嵌部と、を有するソケット型工具。
【請求項２】
前記開口端面は、平らに形成され、前記保持構造は、前記ソケット本体の前記開口端面に当接した前記ワッシャを保持するように構成される、請求項１に記載のソケット型工具。
【請求項３】
前記保持構造は、磁性により前記開口端面にワッシャを引き付ける引付部を有し、該引付部は、前記ソケット本体の前記開口端面と面一となる位置に配置される一端と、該一端とは反対側の他端であって、前記ソケット本体の前記開口端面よりも後方側に位置する他端とを有する、請求項２に記載のソケット型工具。
【発明の詳細な説明】
【技術分野】
【０００１】
本発明は、ナットを締め込む作業や、緩める作業に用いるソケット型工具に関する。
【背景技術】
【０００２】
従来から、上記ソケット型工具には種々のものが提供されており、例えば、特許文献１に開示されているような、ナットとワッシャとを一括して保持できるソケット型工具（以下、レンチソケットと称する）が提供されている。
【０００３】
レンチソケットは、有底筒状であり、内部にナットとワッシャを挿入できるように構成されている。より具体的に説明すると、レンチソケットには、ナット及びワッシャを収容可能な第一の穴と、該第一の穴よりも小径であり且つ該第一の穴の底面中央に形成された第２の穴とが形成されている。
【０００４】
さらに、第２の穴には、軸状のガイドピンと、該ガイドピンを第２の穴の開口方向に向けて付勢する圧縮ばねとが配置されており、ガイドピンが第１の穴内に対して進退するように構成されている。
【０００５】
かかるレンチソケットによれば、第一の穴に挿入されたナットとワッシャにはガイドピンが挿通されるため、雄螺子に取り付けるナットとワッシャ、若しくは雄螺子から取り外すナットとワッシャを一括して保持することができる。
【先行技術文献】
【特許文献】
【０００６】
【特許文献１】実開昭６４−５００６１号公報
【発明の概要】
【発明が解決しようとする課題】
【０００７】
ところで、雄螺子に取り付けたナットの緩み止めをすることがあり、この場合、ナットが取り付けられている雄ねじに対して、筒状の緩止具がさらに取り付けられることがある。
【０００８】
緩止具は、弾性を有し、筒状に形成されている。また、緩止具は、内径が雄ねじの外径よりも小さくなっているため、内部に雄ねじを挿通すると、該雄ねじの軸線方向での動きが制限される、というものである。
【０００９】
しかしながら、上記従来のレンチソケットの第一の穴には緩止具を収容するスペースがないため、ワッシャやナットとともに緩止具を保持することができず、緩止具の取付作業や取外作業は作業者が手作業で行っている。そのため、作業中に緩止具を落としてしまうというような問題が起こっている。
【００１０】
そこで、本発明は、かかる実情に鑑み、ナット、ワッシャとともにナット用の緩止具を一括して保持できるソケット型工具を提供することを課題とする。
【課題を解決するための手段】
【００１１】
本発明のソケット型工具は、ナット、及び雄ねじに螺合させたナットの緩み止めをするための筒状の緩止具のそれぞれを同心又は略同心で収容可能な凹部が形成されたソケット本体と、前記ソケット本体における前記凹部の開口周りの開口端面に当接させたワッシャを前記凹部に収容した前記ナット及び前記緩止具に対して同心又は略同心で保持する保持構造と、を備え、前記ソケット本体は、前記開口端面側から挿入された前記緩止具を受ける受部と、該受部よりも前記開口端面側に形成され、且つ前記開口端面側から前記凹部内に挿入された前記ナットの外周面に嵌合する外嵌部と、を有する。
【００１２】
かかる構成によれば、ソケット本体内に対して緩止具が挿入され、続いてナットが挿入されると、緩止具が受部により受け止められ、さらに、ナットが受部の手前側（ソケット本体の開口端側）の外嵌部内に入る。
【００１３】
この状態で、ワッシャを保持構造でソケット本体の開口端面に保持させると、ナットの手前側が該ワッシャにより遮られるため、ナットと該ナットの奥側に配置されている緩止具がソケット本体内に保持される。
【００１４】
また、本発明のソケット型工具において、前記開口端面は、平らに形成され、前記保持構造は、前記ソケット本体の前記開口端面に当接した前記ワッシャを保持するように構成されていてもよい。
【００１５】
このようにすれば、平らに形成された開口端面に一面を当接させた状態のワッシャを保持するように構成されているため、ワッシャに対して雄ねじを真っ直ぐに挿通することができる状態を保つことができる。
【００１６】
さらに、本発明のソケット型工具において、前記保持構造は、磁性により前記開口端面にワッシャを引き付ける引付部を有し、該引付部は、前記ソケット本体の前記開口端面と面一となる位置に配置される一端と、該一端とは反対側の他端であって、前記ソケット本体の前記開口端面よりも後方側に位置する他端とを有する、ように構成されていてもよい。
【００１７】
上記構成のソケット型工具によれば、引付部の一端がソケット本体の開口端面と面一となる位置に配置されているため、開口端面に対してワッシャを傾かないようにして保持することができる。また、引付部の他端はソケット本体の開口端面よりも後方側に位置しているため、収容凹部内でのナットの動きを該引付部の磁力により制限することができる。
【発明の効果】
【００１８】
以上のように、本発明のソケット型工具によれば、ナット、ワッシャとともにナット用の緩止具を一括して保持できる、という優れた効果を奏し得る。
【図面の簡単な説明】
【００１９】
【図１】図１は、本発明の一実施形態に係るソケット型工具の正面図である。
【図２】図２は、同実施形態に係るソケット型工具の底面図である。
【図３】図３は、図２のＩＩＩ−ＩＩＩ断面線における断面図である。
【図４】図４において、（ａ）は進出状態の抱持部の拡大図であり、（ｂ）は退避状態の抱持部の拡大図である。
【図５】図５の（ａ）〜（ｄ）は、同実施形態に係るソケット型工具でワッシャ、ナット、緩止具を雄ねじに取り付ける作業の説明図である。
【図６】図６の（ａ）〜（ｄ）は、同実施形態に係るソケット型工具でワッシャ、ナット、緩止具を雄ねじから取り外す作業の説明図である。
【図７】図７は、同実施形態に係るソケット型工具で扱う対象とするワッシャ、ナット、緩止具の説明図である。
【発明を実施するための形態】
【００２０】
以下、本発明の一実施形態に係るソケット型工具について、添付図面を参照しつつ説明を行う。
【００２１】
本実施形態に係るソケット型工具は、雄ねじに対してナットを締め込んだり、緩めたりする際に用いられるものであり、ワッシャ、ナット、ナットの緩止具を一括して保持できるように構成されている。
【００２２】
図７に示すように、ワッシャＷ、ナットＮ、緩止具Ｔは、それぞれ雄ねじＳの基端部側から順に並べて配置される。なお、本実施形態では、雄ねじＳの一例として、構造物（母材）Ｂから延出するように設けられた植込みねじを挙げて以下の説明を行うが、ソケット型工具を用いてワッシャＷ、ナットＮ、緩止具Ｔを付け外しする対象物は、植込みねじとは別種の雄ねじであってもよい。
【００２３】
緩止具Ｔは、弾性を有し、且つ筒状に形成されている。また、緩止具Ｔの内径は、雄ねじＳの外径よりも小さくなっており、内部に雄ねじＳが挿通された状態においては、該雄ねじＳに対する移動（雄ねじＳの軸線方向での移動）が制限されるようになっている。
【００２４】
また、緩止具Ｔは、軸線方向における一方側の外径よりも他方側の外径の方が大きくなっている。そのため、緩止具Ｔの外面は、前記一方側よりも前記他方側の方が径方向外方（緩止具Ｔの径方向における外方側）に張り出した段状に形成されている。
【００２５】
ソケット型工具は、図１及び図２に示すように、雄ねじＳに付け外しするナットＮ及び緩止具Ｔを収容可能な収容凹部２０が形成されたソケット本体２と、ナットＮとともに雄ねじＳに付け外しするワッシャＷをソケット本体２に保持するための保持構造３と、を備えている。
【００２６】
ソケット本体２は、外観円柱状であり、収容凹部２０は、ソケット本体２の軸線方向における一方の端面で開口するように形成されている。なお、本実施形態では、ソケット本体２の軸線方向を前後方向、ソケット本体２の径方向を内外方向と称して以下の説明を行う場合がある。
【００２７】
本実施形態に係るソケット本体２は、図３に示すように、収容凹部２０内で緩止具Ｔを受ける受部２１と、該受部２１の手前側（収容凹部２０の開口側）に形成され、且つナットＮの外周側面に外嵌する外嵌部２２と、外嵌部２２よりも前記前後方向における前方側で、ワッシャＷの一面を受ける（当接させる）当接部２３と、保持構造３の後述する抱持部を回転可能に連結するための連結ベース部２４と、他の工具を接続するための接続部２５と、を有する。
【００２８】
上述のように、収容凹部２０は、ソケット本体２の前記一方の端面で開口するように形成されている。そのため、収容凹部２０の開口の周囲には、ソケット本体２の前記一方の端面が広がっている。なお、本実施形態では、ソケット本体２の前記一方の端面を、開口端面２００と称することとする。
【００２９】
受部２１は、収容凹部２０内で前記前後方向における前方を向くように形成された平面である。また、受部２１は、ソケット本体２の中心線を中心とする周方向に沿って環状となるように形成されている。
【００３０】
外嵌部２２は、ナットＮの外周形状に合わせて多角環状（本実施形態では六角環状）に形成されている。なお、外嵌部２２は、前記中心線を中心とする周方向でナットＮの外周側面に係合することができれば、六角環状でなくてもよい。
【００３１】
本実施形態に係る当接部２３は、ソケット本体２の開口端面２００により構成されている。そのため、当接部２３は、環状の平らな面となっている。
【００３２】
連結ベース部２４は、ソケット本体２の外面に設けられている。より具体的に説明すると、連結ベース部２４は、ソケット本体２の外面から、前記内外方向における外方側に向かって延出するように形成されている。また、連結ベース部２４は、ソケット本体２の中心線を中心とする周方向に対して接線方向に延びる回転軸Ｐにより抱持部を回転可能に連結するように構成されている。
【００３３】
接続部２５は、ソケット本体２の軸線方向における他方の端面側に設けられており、例えば、絶縁操作棒や、ラチェットレンチ、ソケットレンチ等の操作用の工具Ｏを接続できるように構成されていればよい（図５（ａ）参照）。
【００３４】
保持構造３は、前記ソケット本体２における前記収容凹部２０の開口を形成する開口端面２００に前記ワッシャＷの一面を引き付けるための引付部３０と、該引付部３０によって前記開口端面２００に引き付けられた前記ワッシャＷを抱え持つ抱持部３１と、該抱持部３１を前記内外方向における内方側に向けて付勢する付勢手段３２（図４（ａ）参照）と、を有する。
【００３５】
引付部３０は、磁性を有する磁性体（例えば、磁石）で構成されている。また、本実施形態に係る引付部３０は、前記前後方向における前端がソケット本体２の開口端面２００と面一となるように設けられており、さらに、ソケット本体２の開口端面２００を基準として前記前後方向における後方に向かって延びている。
【００３６】
抱持部３１は、図４（ａ），図４（ｂ）に示すように、連結ベース部２４を介してソケット本体２の外面に回動可能に取り付けられる回動部３１０と、該回動部３１０から延出する腕部３１１と、開口端面２００の前方に対して進退可能であり且つワッシャＷをソケット本体２の開口端面２００に向けて押圧する押圧部３１２と、押圧部３１２を前記内外方向に移動させるためのガイド部３１３とを有する。
【００３７】
回動部３１０は、前記回転軸Ｐにより連結ベース部２４に軸支されている。そのため、前記回転軸Ｐは、回動部３１０の回転中心となる。
【００３８】
腕部３１１は、回動部３１０に対して前記内外方向における外方側に連設されている。そのため、腕部３１１は、回転軸Ｐに対して前記内外方向における外方側にずれた位置に配置されている。
【００３９】
押圧部３１２は、回動部３１０の回転に伴って、開口端面２００の前方に対して進退するように構成されている。なお、本実施形態では、押圧部３１２が開口端面２００の前方に進出した状態を進出状態、押圧部３１２が開口端面２００の前方から退避した状態（開口端面２００の前方から外れた位置に配置されている状態）を退避状態と称することとする。
【００４０】
押圧部３１２は、進出状態に切り替わった状態で、ワッシャＷの他面を開口端面２００側に向けて押圧するように構成されている。すなわち、押圧部３１２は、開口端面２００と協働してワッシャＷを挟持するように構成されている。
【００４１】
なお、本実施形態に係る押圧部３１２は、腕部３１１の前記内外方向において内方側に位置する端面により構成されている。また、本実施形態に係る押圧部３１２は、進出状態に切り替えられた状態においては、前記径方向における内向きであり且つ前記前後方向における前方側が後方側よりも前記径方向における内方側に位置するように傾斜するように構成されているため、開口端面２００に当接させているワッシャＷを前記径方向における外方側から抱え込むようにして開口端面２００に向けて押圧することができる。
【００４２】
このように、押圧部３１２は、ワッシャＷを前記径方向における内方側、及び前記前後方向における後方側に向けて押圧するように構成されている。
【００４３】
ガイド部３１３は、腕部３１１の先端に設けられている。ガイド部３１３の前面（前記前後方向において前方側に向けて配置される面）には、押圧部３１２が前記進出状態に切り替わっている状態において、前記内外方向における内方側の一端から外方側の他端に向かうにつれて、前記前後方向における前方側に向かうように傾斜する傾斜面３１３ａが含まれている。また、傾斜面３１３ａの前記一端は、押圧部３１２が前記進出状態に切り替わっている状態において、ガイド部３１３の中で最も前方に位置する頂部３１３ｂとなっている。
【００４４】
なお、本実施形態のソケット本体２には、複数の抱持部３１が設けられている。複数の抱持部３１は、ソケット本体２の外周面の周方向において間隔をあけて並ぶように形成されている。また、本実施形態では、３つの抱持部３１が、ソケット本体２の外周面の周方向において等間隔に間隔をあけて並ぶように形成されている（図３参照）。
【００４５】
付勢部材は、押圧部３１２をソケット本体２の径方向内側に向けて直接的又は間接的に付勢するように構成されている。本実施形態に係る付勢部材は、押圧部３１２が前記径方向における内方側に移動するようにして回動部３１０を付勢している。
【００４６】
本実施形態に係るソケット型工具１の構成は以上の通りである。続いて、本実施形態に係るソケット型工具１の使用方法を説明する。
【００４７】
まず、ソケット型工具１を用いてワッシャＷ、ナットＮ、緩止具Ｔを雄ねじＳに取り付ける方法について説明する。
【００４８】
図５（ａ）に示すように、雄ねじＳに取り付けるワッシャＷ、ナットＮ、緩止具Ｔをソケット型工具１にセットする。
【００４９】
より具体的に説明すると、緩止具Ｔを収容凹部２０内に挿入し、さらに、該緩止具Ｔを前記前後方向において受部２１に突き当てる。
【００５０】
次に、ナットＮを収容凹部２０内の外嵌部２２内に挿入する。これにより、ソケット本体２を自身の中心線を中心として回転させると、ナットＮの外周側面と外嵌部２２の内周側面とが係合する状態になる。
【００５１】
そして、ワッシャＷを保持構造３によりソケット本体２の開口端面２００に保持する。本実施形態では、ワッシャＷの一面を開口端面２００に当接させた状態で、押圧部３１２を前記進出状態に切り替えると、該ワッシャＷが開口端面２００と押圧部３１２とで挟持される（図４（ａ）参照）。
【００５２】
また、本実施形態では、複数（３つ）の抱持部３１がソケット本体２の外周面の周方向で等間隔に並んでいるため、ワッシャＷがソケット本体２と同心又は略同心となる。これに伴い、ワッシャＷは、ソケット本体２内の緩止具Ｔ、ナットＮに対しても同心又は略同心となる。
【００５３】
そして、ソケット本体２の開口端面２００側を雄ねじＳに接近させ、雄ねじＳをワッシャＷに挿通し、さらに、雄ねじＳの先端をナットＮに突き当てる。
【００５４】
この状態でソケット本体２を回転させると（ソケット本体２の中心線を中心とする周方向で回転させると）、ナットＮが雄ねじＳに螺合され、ソケット本体２をさらに回転させ続けるとナットＮが雄ねじＳに締め込まれる。
【００５５】
また、ナットＮは、雄ねじＳに締め込まれるに伴って、雄ねじＳの基端部側に移動するため、この雄ねじＳの移動に合わせてソケット本体２も、雄ねじＳの基端部側に移動させる。このとき、緩止具Ｔが受部２１により前方側（雄ねじＳの基端部側）に押されるため、図５（ｂ）に示すように、該緩止具Ｔの内部には雄ねじＳが挿通される。
【００５６】
そして、ソケット本体２の前方に位置するガイド部３１３が母材Ｂに押し付けられると、図５（ｃ）に示すように、押圧部３１２が前記内外方向における外側に移動する。すなわち、押圧部３１２が前記退避状態に切り替わる。
【００５７】
より具体的に説明すると、図４（ａ）に示すように、抱持部３１を先頭にした状態（最も前方に向けた状態）でソケット型工具１を母材Ｂ等に突き当てると、抱持部３１の中で最も前方に位置するガイド部３１３の頂部３１３ｂが母材Ｂに当接する。
【００５８】
このとき、ガイド部３１３の頂部３１３ｂは回動部３１０の回転中心よりも前記径方向における外方側に配置されているため、ソケット型工具１を母材Ｂに押し付けると、該ガイド部３１３には前記径方向における外方側に向かう力が生じ、この力が抱持部３１（押圧部３１２）に対する回転モーメントとなる。
【００５９】
さらに、ガイド部３１３の前面は、該押圧部３１２が前記開口端面２００の前方に進出した状態において、前記径方向内側から前記径方向外側になるにつれて徐々に前方に向かうように傾斜しているため、ガイド部３１３の頂部３１３ｂよりも内側の部分と母材Ｂとの間には隙間が生じており、この隙間が抱持部３１（押圧部３１２）の回転代となる。そして、ガイド部３１３に生じる前記径方向における外方側に向かう力が付勢部材による付勢力を上回ると、図４（ｂ）に示すように、押圧部３１２が前記内外方向における外側に移動する。
【００６０】
このように、前記ソケット型工具１は、抱持部３１の中で最も前方に位置するガイド部３１３が母材Ｂに当接するとともに、押圧部３１２が前記径方向における外方側に移動し始めるようになっており、押圧部３１２が進出状態から退避状態に切り替わることで押圧部３１２によるワッシャＷの保持状態が解除される。
【００６１】
そして、ナットＮを雄ねじＳに対して完全に締め込んだ後は、ソケット本体２を引き操作すれば、図５（ｄ）に示すように、ワッシャＷ、ナットＮ、緩止具Ｔを雄ねじＳに取り付けた状態のまま、ソケット型工具１だけを雄ねじＳから引き離すことができる。
【００６２】
一方、雄ねじＳに取り付けられているワッシャＷ、ナットＮ、緩止具Ｔを取り外す場合は、図６（ａ）から図６（ｂ）にかけて示すように、ソケット本体２を雄ねじＳ、緩止具Ｔ、ナットＮに被せる。これに伴い、受部２１が前記前後方向で緩止具Ｔに当接し、ナットＮの外周側面が外嵌部２２の内周側面に嵌合する。
【００６３】
そして、ガイド部３１３の頂部３１３ｂがワッシャＷ若しくは母材Ｂに押し付けられると、押圧部３１２が進出状態から退避状態に切り替わる。
【００６４】
ソケット本体２を回転させてナットＮを緩めると、該ナットＮが雄ねじＳの先端側（収容凹部２０の奥側）に移動する。ワッシャＷには引付部３０の磁力が作用するため、ナットＮ全体が収容凹部２０内に入ると、図６（ｃ）に示すように、ワッシャＷが一面を開口端面２００に当接させた状態でソケット本体２に仮止めされる。
【００６５】
さらに、ナットＮを緩めつつ、ソケット型工具１を引き操作すると、ガイド部３１３が母材Ｂから離れる。これに伴い、付勢部材の付勢力によって押圧部３１２が前記径方向における内方側に移動し、押圧部３１２が前記退避状態から前記進出状態に切り替わると、図６（ｄ）に示すように、押圧部３１２と開口端面２００とによってワッシャＷが挟持（保持）される。
【００６６】
そして、ナットＮを雄ねじＳから外した後、ソケット型工具１を引き操作すれば、ワッシャＷ、ナットＮ、緩止具Ｔを一括して雄ねじＳから取り外すことができる。
【００６７】
以上のように、本実施形態に係るソケット型工具１は、ソケット本体２内に対して緩止具Ｔが挿入され、続いてナットＮが挿入されると、緩止具Ｔが受部２１により受け止められ、さらに、ナットＮが受部２１の手前側（ソケット本体２の開口端側）の嵌合周面内に入り、この状態で、ワッシャＷを保持構造３で前記開口領域と対応する位置に保持させると、ナットＮの手前側が該ワッシャＷによって遮られるため、ナットＮと該ナットＮの奥側に配置されている緩止具Ｔがソケット本体２内に保持される。
【００６８】
従って、ソケット型工具１は、ナットＮ、ワッシャＷとともにナットＮ用の緩止具Ｔを一括して保持できる。
【００６９】
さらに、本実施形態に係るソケット型工具１では、開口端面２００が平らに形成され、保持構造３が該開口端面２００に当接したワッシャＷを保持するように構成されているため、該開口端面２００に一面を当接させた状態のワッシャＷを保持することができ、これにより、ワッシャＷに対して雄ねじＳを真っ直ぐに挿通することができる状態を保つことができるようにもなっている。
【００７０】
さらに、保持構造３は、磁性により前記開口端面２００にワッシャＷを引き付ける引付部３０を有し、該引付部３０がソケット本体２の開口端面２００と面一となる位置に配置される一端と、該一端とは反対側の他端であって、ソケット本体２の開口端面２００よりも後方側に位置する他端とを有する、ように構成されていているため、引付部３０の一端がソケット本体２の開口端面２００と面一となる位置に配置されているため、開口端面２００に対してワッシャＷを傾かないようにして保持することができる。また、引付部３０の他端はソケット本体２の開口端面２００よりも後方側に位置しているため、収容凹部２０内でのナットＮの動きを該引付部３０の磁力により制限することができる。
【００７１】
また、本実施形態に係るソケット型工具１では、磁性体の磁力で引き付けたワッシャＷの一面をソケット本体２の開口端面２００に当接させた状態で仮止めすることができる。このとき、ワッシャＷとナットＮとは同心又は略同心となる（すなわち、ワッシャＷの貫通孔とナットＮのねじ穴とが前記前後方向で一列に並ぶ）。
【００７２】
そして、押圧部３１２を進出状態に切り替えると、該押圧部３１２によってワッシャＷの他面が開口端面２００側に向けて押圧され、ソケット本体２の開口端面２００と抱持部３１の押圧部３１２とでワッシャＷを挟持することができ、これにより、ワッシャＷの前記前後方向における後方側への動きが開口端面２００により規制され、また、ワッシャＷの前記前後方向における前方側への動きが押圧部３１２により制限される。
【００７３】
従って、ソケット型工具１は、ナットＮとワッシャＷとを雄ねじＳに対して付け外しできる姿勢で確実に保持できる。
【００７４】
さらに、本実施形態に係るソケット型工具１では、前記前後方向における最も前方側に位置するガイド部３１３（頂部３１３ｂと傾斜面３１３ａ）とが母材Ｂ等の構造物に当接するとともに、押圧部３１２が前記径方向における外方側に移動し始めるため、押圧部３１２がソケット本体２と構造物とに挟み込まれて開口端面２００の前方から退避できなくなることを防止できる。
【００７５】
また、ガイド部３１３を構造物に押し当てて押圧部３１２を進出状態から退避状態に切り替える構造が採用されているため、収容凹部２０内のナットＮや緩止具Ｔの動きによって押圧部３１２が進出状態から退避状態に切り替えられることがない。従って、本実施形態に係るソケット型工具１は、ワッシャＷ、ナットＮ、緩止具Ｔの付け外し作業中に押圧部３１２が意図しないタイミングで進出状態から退避状態に切り替わることを防止でき、これにより、ワッシャＷ、ナットＮ、緩止具Ｔの脱落を防止できるようになっている。
【００７６】
さらに、本実施形態に係るソケット型工具１では、複数（３つ）の抱持部３１がソケット本体２の外周面の周方向において等間隔に並ぶようにして形成されており、この複数の抱持部３１の押圧部３１２によりワッシャＷが前記径方向における外方側から抱え込まれるようにしてソケット本体２の開口端面２００に押し付けられるため、ワッシャＷをソケット本体２、及びソケット本体２内の緩止具Ｔ、ナットＮに対して同心又は略同心に配置し易くなる。従って、前記ソケット型工具１は、雄ねじＳをワッシャＷ、ナットＮ、緩止具Ｔに簡単に挿入できるようになる。このように、押圧部３１２はワッシャＷの前記径方向における位置決めを行う役割も担っている。
【００７７】
なお、本発明のソケット型工具１は、上記実施形態に限定されるものではなく、本発明の要旨を逸脱しない範囲内において種々の変更を加え得ることは勿論である。
【００７８】
上記構成において、保持構造３は、ソケット本体２の開口端と、抱持部３１の押圧部３１２とでワッシャＷを挟持するように構成されていたが、この構成に限定されない。例えば、保持構造３は、ソケット本体２の開口端面２００にワッシャＷの一面を当接させた状態を維持できれば、引付部３０の磁力のみでワッシャＷを保持するように構成されていてもよい。
【００７９】
上記実施形態において、ソケット本体２には３つの抱持部３１が設けられていたが、この構成に限定されない。例えば、ソケット本体２には１つ又は２つの抱持部３１が設けられていてもよいし、４つ以上の抱持部３１が設けられていてもよい。
【００８０】
上記実施形態のソケット型工具１は、使用者が手に取って操作を行うための操作用の工具Ｏ（上述の絶縁操作棒や、ラチェットレンチ、トルクレンチ等）をソケット本体２の接続部２５に着脱するように構成されていたが、この構成に限定されない。例えば、ソケット本体２には、使用者が手に取って操作を行うための操作部が一体的に設けられていてもよい。
【００８１】
上記実施形態において、引付部３０は、前記前後方向における前端がソケット本体２の開口端面２００と面一となるように設けられていたが、この構成に限定されない。例えば、引付部３０は、ナットＮの姿勢が崩れないようにできれば（すなわち、ナットＮの各面が前記前後方向に向けて配置されている状態を維持できれば）、引付部３０の前記前端がソケット本体２の開口端面２００よりも前方側、若しくは後方側に位置していてもよい。
【００８２】
上記実施形態において、腕部３１１は、棒状に形成されていたが、この構成に限定されない。例えば、押圧部３１２が前記進出状態に切り替えられているときに、ガイド部３１３の頂部３１３ｂが回動部３１０の回転中心よりも前記径方向における外方側に配置されるように構成されていれば、腕部３１１は屈曲、若しくは湾曲した形状であってもよい。この場合、腕部３１１は、ガイド部３１３が母材Ｂ等の構造物に押し付けられたときに、撓まない程度の剛性を有することが好ましい。
【００８３】
上記実施形態において、特に言及しなかったが、開口端面２００には、収容凹部２０の開口周りにナットＮを収容可能な座繰りが形成されていてもよい。
【符号の説明】
【００８４】
１…ソケット型工具、２…ソケット本体、３…保持構造、２０…収容凹部、２１…受部、２２…外嵌部、２３…当接部、２４…連結ベース部、２５…接続部、３０…引付部、３１…抱持部、３２…付勢手段、２００…開口端面、３１０…回動部、３１１…腕部、３１２…押圧部、３１３…ガイド部、３１３ａ…傾斜面、３１３ｂ…頂部、Ｂ…母材、Ｎ…ナット、Ｏ…工具、Ｐ…回転軸、Ｔ…緩止具、Ｗ…ワッシャ
【図１】
2019150928.tif 000003
【図２】
2019150928.tif 000004
【図３】
2019150928.tif 000005
【図４】
2019150928.tif 000006
【図５】
2019150928.tif 000007
【図６】
2019150928.tif 000008
【図７】
2019150928.tif 000009